(57)【要約】      （修正有）【課題】飛来電磁波の悪影響を極力避けながら、出来るだけ目立たない方法で、効率良くオーディオ機器の電位を下げ音質を良好にするオーディオ用カーペット型仮想アースを提供する。【解決手段】オーディオ機器８の前にベースとなる備長炭シート１を敷き、その上にオーディオ機器から出した通常のアース線６に接続した、被覆を剥ぎ撚り線をほぐされたアース線２をうねるように何往復も配置し、それに沿って包むように絶縁フィルムのない炭素繊維でできた半導体の電磁波吸収シート３をセロハンテープ等５で固定した上に、タイル・カーペットや絨毯などの敷物７を敷く。【選択図】図１
0003200305.tif 000002
【実用新案登録請求の範囲】
【請求項１】
オーディオ機器の前の敷物のスペースにベースとなるシートを設置し、そこに被覆のないアース線をできるだけ長く這わせ、その上に半伝導体である炭素繊維でできた電磁波吸収シート被せて接触させてアース線の電位を持たせ、飛来電磁波ノイズの悪影響を遮断しながら、美観を損ねずにオーディオ機器の電位を効果的かつ安定的に下げてオーディオの音質を良好にしたことを特徴とするオーディオ用カーペット型仮想アース。
【考案の詳細な説明】
【技術分野】
【０００１】
本考案は、オーディオ機器の音質向上に用いる仮想アースの形状、材質、及びその組み合わせに関するものである。
【背景技術】
【０００２】
個人がオーディオ機器等による音楽再生時の音質向上を可能な限り追求する趣味をピュア・オーディオと呼ぶ。この趣味において、アースは原理的に重要である。オーディオ機器の中で電気的音声信号は基準電位との差に変換されているため、アースでオーディオ機器の基準電位を低く安定させることにより、より正確な音声信号の電送、増幅、再生が可能となり、良好な音質を楽しめるからである。オーディオ用のアンプなどにアース端子があるのはこのためと考えられる。
【０００３】
家庭用で考えられるアースの方法は３つに大別できる。一つ目は地中に電極を埋める方法で、多少の賛否はあるがおよそピュア・オーディオでも良いとされ、オーディオ機器の基準電位を最大の方法で下げて安定させることができる。しかしながら、集合住宅などでは専用の庭がない場合が多く、その場合この方法は使えない。
【０００４】
二つ目は、コンセントに配線されているアース線を利用するもので、電子レンジ、冷蔵庫、洗濯機など水回りの機器用のコンセントに配備されてあり、濡れた人体が感電しやすいため、それを防止するものである。これは一般にオーディオには使えないと言われる。理由は、家庭では冷蔵庫などが常に稼働しており、その電気的ノイズがアース線を通りオーディオ機器に侵入し、音質を劣化させる可能性があるからである。
【０００５】
三つ目は、近年オーディオマニア間で仮想アースと呼ばれるもので、上の二つの方法とは異なり感電の危険を避けるような大電流をアースに逃がす能力はないが、オーディオ機器の電位をできうる限り下げて安定させ、オーディオの音質を良好にする方法である。
梅酒を漬けるような大きなビンなどにマイナス・イオンを放つとされる備長炭、マイナス電位を持つとされるトルマリンなどを入れ、銅板などの電極を丸めてそれらへの接触を高め、それをアース端子に繋げることにより、オーディオ機器の電位を下げてオーディオの音質を良好にする、大きなビン型仮想アースである。
限られたピュア・オーディオ・マニアにより自作されているこの大きなビン型仮想アースの使われている様子を図３に示す。
また、ビン型ではないが、トルマリンなどの鉱石をブレンドし銅板で囲った手のひらサイズの小型の仮想アースが数万円で、木箱に金・銀・銅・亜鉛などを含む “ミネラルミックス”が大質量で内蔵された大きな木箱型仮想アースが数十万円で、それぞれオーディオ・アクセサリ・メーカーから販売されているが、価格に見合った仮想アース能力を提供しているとは言い難い。
【先行技術文献】
【特許文献】
【０００６】
【特許文献１】特開平０７-２６５７９１号公報
【考案の概要】
【考案が解決しようとする課題】
【０００７】
しかしながら、以上の技術によれば、集合住宅などで地中に埋めるアースが利用できない場合、大きなビン型仮想アースの性能をあげようとすると、ビンが縦横に巨大化することになる。狭い日本の住宅環境においてその置き場所を必要とする一方、その効果は限定的である。また、アース線や大きなビン型仮想アース自体が飛来電磁波を受けてそれがアース線を伝わってオーディオ機器に侵入し、かえって音質を劣化させる懸念もある。そのようなことができるだけ起きないようにアース線を短くすると、巨大化した大きなビン型仮想アースがオーディオ機器のそばに配置され、美観上著しく好ましくない結果に至ることが多い。多くのピュア・オーディオ・マニアは、音質だけでなく美観も重視する。それが反映されて、オーディオ機器は優れたデザインを伴って設計、販売されている。
【０００８】
そこで、この考案は、飛来電磁波の悪影響を極力避けながら、出来るだけ目立たない方法で、効率良くオーディオ機器の電位を下げ音質を良好にする仮想アースを提供することを課題とする。
【課題を解決するための手段】
【０００９】
仮にオーディオ機器のアース線を、仮想アースとして厚さ1センチで手のひらサイズ程度の鉄板に接続した場合、同じ大きさの鉄板を10枚以上重ねても電位は大きく変わらない。しかし、その鉄板を横に連結して並べると1枚増やすごとに顕著に電位が下がるのが観察される。これは、仮想アースの能力がそれの質量や体積よりも、水平面積と深く関わっていることを示す。大きなビン型仮想アースの効果が限定的であった理由はこのことによる。
仮想アースのこの性質を最大限利用するため、床の反射音を調節するためにオーディオ機器の前中央に敷かれることが多い敷物のスペースを広く薄く水平に利用することと、高周波を99.5％以上遮断できる細かい炭素繊維でできた電磁波吸収シートを、飛来電磁波の悪影響を遮断すると同時に、半導体としてアース線の電位を水平に広く持たせるために利用することが、本考案の主な特徴である。
【考案の効果】
【００１０】
この考案によれば、電磁波吸収シートは半導体であるためアース線の電位をアース線との距離に応じ減衰しながら水平方向へ広く持つため、非常に効果的に優れた仮想アースとしてオーディオ機器の電位を下げると同時に、飛来電磁波を遮断しているため、ノイズの混入の心配がない。また、その上をタイル・カーペットや絨毯などで覆うことにより、まったく人の目に触れることがなく、美観を損ねることがない。言わば見えないオーディオ用仮想アースである。
【図面の簡単な説明】
【００１１】
【図１】図１はこの考案の一実施形態を示す平面図である。（実施例１）
【図２】図２はこの考案の一実施形態を示す断面図である。（実施例１）
【図３】図３は従来技術を示す正面図である。（従来技術）
【図４】図４はこの考案の別の実施形態を示す断面図である。（実施例２）
【考案を実施するための形態】
【００１２】
この考案の一実施形態を、図１と図２に示す。
【実施例１】
【００１３】
ベースとなる材質には、大きなビン型仮想アースでよく使われる備長炭が粉末化されたものを含むポリエチレン発泡材の絶縁体である備長炭シートを用いる。図１の平面図のように備長炭シートは数平方メートルと従来の大きなビン型仮想アースより遥かに水平面積が広い。その上に数メートルに及び、被覆を剥ぎ撚り線構造の線材をほぐしたアース線を、うねるように何往復もできるだけ長く這わせる。高周波を99.5％以上遮断できる細かい炭素繊維でできた半導体の電磁波吸収シートで絶縁フィルムのないものを、ほぐしたアース線の上に沿って被せセロハンテープ等で固定密閉する。さらに、重量のあるタイル・カーペットや絨毯などの敷物を最上部に配置する。
【００１４】
この実施形態によれば、電磁波吸収シートは飛来電磁波ノイズを遮断すると同時に、半導体であるためアース線の電位をアース線との距離に応じ減衰しながら広く水平に持ち、それに接続されたオーディオ機器の電位を効果的かつ安定的に下げ、音質を極めて良好にする。
図２の断面図のように上に載せてある重量のあるタイル・カーペットや絨毯などの敷物がカーペット型仮想アース内の材料すべてを密着させることにより効果を確実なものとし、その敷物に遮られるため美観をまったく損ねない。
【００１５】
図１と図２の実施形態では、ベースとなる材質は電磁波吸収シートよりも価格の安い備長炭シートであるが、他の実施形態では、ベースにも電磁波吸収シートを使うものでも良い。カーペット型仮想アースの下からも高周波電磁波が遮断されるため、さらに良好な音質が得られる可能性がある。
【実施例２】
【００１６】
また、図４の実施形態では大きなビン型仮想アースでよく使われている、備長炭やトルマリンを数ミリに粉砕したものを、ほぐしたアース線の上に蒔いた後に電磁波吸収シートで密閉した。マイナスイオンを発生する備長炭とマイナス電位を持つトルマリンの効果が電磁波吸収シートとアース線を伝わってオーディオ機器の電位をさらに下げ、音質を良好にする。
【符号の説明】
【００１７】
１    備長炭シート
２    被覆を剥ぎ撚り線をほぐされたアース線
３    絶縁フィルムのない炭素繊維でできた半導体の電磁波吸収シート
４    粉砕されたトルマリンと粉砕された備長炭
５    セロハンテープ等
６    通常のアース線
７    重量のあるタイル・カーペットや絨毯などの敷物
８    オーディオ機器
９    従来の大きなビン型仮想アース
【図１】
0003200305.tif 000003
【図３】
0003200305.tif 000004
【図２】
0003200305.tif 000005
【図４】
0003200305.tif 000006